(57)【要約】【課題】吐出開口の位置の変更に対応でき、駆動信号供給手段の信頼性を低下することなく、装置全体も大型化しない液体噴射ヘッド及び液体噴射装置を提供すること。【解決手段】ノズル開口を有するノズル形成部334とアクチュエータ部331とを有するヘッドユニット部330と、ケース部320等とケース部及びヘッドユニット部に接続され振動信号を供給する振動信号供給手段351を有するフレキシブルケーブル部350とを有し、複数形成されるフレキシブルケーブル部は、振動信号供給手段を有するフレキシブルケーブル本体353と、フレキシブルケーブル本体の一端側に連接して形成され、ヘッドユニット部に対して接続されるフレキシブルケーブル接続部354と、を有し、フレキシブルケーブル本体とフレキシブルケーブル接続部との間には、屈曲可能な屈曲部355が配置され、屈曲部の屈曲角度が各フレキシブルケーブル部毎に異なった角度で構成される液体噴射ヘッド320。【選択図】図４
2005178127.tif 000002
【特許請求の範囲】
【請求項１】
液体を吐出するノズル開口を複数有し、前記複数のノズル開口が少なくとも１つ以上にグループ分けされているノズル形成部と、
前記ノズル開口に連接されている複数の圧力室を有する圧力室形成部と、
前記複数の圧力室に対応して配置され、前記液体を前記ノズル開口から吐出させるために振動する複数のアクチュエータを有するアクチュエータ部と、を有するヘッドユニット部と、
前記ヘッドユニット部に前記液体を供給するケース部と、
前記ケース部及び前記ヘッドユニット部に接続され、前記アクチュエータが振動するための振動信号を供給するための振動信号供給手段を有するフレキシブルケーブル部と、を有する液体噴射ヘッドであって、
前記フレキシブルケーブル部が前記グループ分けされたアクチュエータに対しそれぞれ配置されるように複数形成されていると共に、前記フレキシブルケーブル部は、
前記振動信号供給手段を有するフレキシブルケーブル本体と、
前記フレキシブルケーブル本体の一端側に連接して形成され、前記ヘッドユニット部に対して接続されるフレキシブルケーブル接続部と、を有し、
前記フレキシブルケーブル本体と前記フレキシブルケーブル接続部との間には、屈曲可能な屈曲部が配置され、
前記屈曲部の屈曲角度が、各前記フレキシブルケーブル部毎に異なった角度で構成されていることを特徴とする液体噴射ヘッド。
【請求項２】
前記複数のフレキシブルケーブル部の各前記フレキシブルケーブル接続部が前記アクチュエータ部と接着され、
前記複数のフレキシブルケーブル部の各々前記屈曲部が、それぞれ異なった面に配置されていることを特徴とする請求項１に記載の液体噴射ヘッド。
【請求項３】
液体を吐出するノズル開口を複数有し、前記複数のノズル開口が少なくとも１つ以上にグループ分けされているノズル形成部と、
前記ノズル開口に連接されている複数の圧力室を有する圧力室形成部と、
前記複数の圧力室に対応して配置され、前記液体を前記ノズル開口から吐出させるために振動する複数のアクチュエータを有するアクチュエータ部と、を有するヘッドユニット部と、
前記ヘッドユニット部に前記液体を供給するケース部と、
前記ケース部及び前記ヘッドユニット部に接続され、前記アクチュエータが振動するための振動信号を供給するための振動信号供給手段を有するフレキシブルケーブル部と、を有する液体噴射ヘッドを備える液体噴射装置であって、
前記液体噴射ヘッドの前記フレキシブルケーブル部が前記グループ分けされたアクチュエータに対しそれぞれ配置されるように複数形成されていると共に、前記フレキシブルケーブル部は、
前記振動信号供給手段を有するフレキシブルケーブル本体と、
前記フレキシブルケーブル本体の一端側に連接して形成され、前記ヘッドユニット部に対して接続されるフレキシブルケーブル接続部と、を有し、
前記フレキシブルケーブル本体と前記フレキシブルケーブル接続部との間には、屈曲可能な屈曲部が配置され、
前記屈曲部の屈曲角度が、各前記フレキシブルケーブル部毎に異なった角度で構成されていることを特徴とする液体噴射装置。
【発明の詳細な説明】
【技術分野】
【０００１】
本発明は、液体を吐出する液体噴射ヘッド及び液体噴射装置に関するものである。
【背景技術】
【０００２】
従来より、液体噴射装置である例えば、インクジェット式記録装置には、インクを吐出するための液体噴射ヘッドである例えば、インクジェット式記録ヘッドが設けられている（例えば、特許文献１参照）。インクジェット式記録ヘッドには、特許文献１の図１等に示すようにノズルプレート１１が設けられ、このノズルプレート１１には、同文献１の図８に示すように、インクを吐出するノズル開口１１１がノズル列を成して形成されている。
図７（ａ）（ｂ）は、ノズルプレート１１に形成されているノズル列の配置例を示す概略図である。すなわち、図７（ａ）は６色ヘッドの構成例であり、ノズルプレート１１上には６列のノズル列が形成さている。そして、図において左側のノズル列から右側のノズル列にかけて、ブラック（Ｂｋ）、シアン（Ｃ）、ライトシアン（Ｌｃ）、マゼンタ（Ｍ）、ライトマゼンタ（Ｌｍ）、そしてイエロー（Ｙ）の各色のインクが吐出するように形成されている。
具体的には、特許文献１の図１に示す、アクチュエータユニット３０がたわみ振動を行い、このたわみ振動でノズル開口１１１に連接されている圧力室の容積が収縮等することでインクを吐出させる構成となっている。また、このアクチュエータユニット３０のたわみ振動は、同文献１の図１に示すＴＣＰ（テープキャリアパッケージ）２から伝えられる駆動信号により制御される構成となっている。すなわち、ＴＣＰ２に搭載されているＩＣ等の半導体集積回路２１（同文献１の図１参照）より駆動振動が供給されることになる。
【０００３】
ところで、近年は、このような６色インクのインクジェット式記録ヘッドをより高い密度で印刷な可能な４色のインクジェット式記録ヘッドに変更することが行われる。すなわち、図７（ｂ）に示すように、図の左側の３つのノズル列をブラック（Ｂｋ）にし、右側の３つの列をシアン（Ｃ）、マゼンタ（Ｍ）そしてイエロー（Ｙ）とすることで４色ヘッドとなる。
このとき、図７（ｂ）に示すように、ブラック（Ｂｋ）のノズル列は上下方向に僅かにズレて配置されることで解像度を上げることが可能となっている。
【特許文献１】特開平１１−３００９５６号公報（図１等）
【発明の開示】
【発明が解決しようとする課題】
【０００４】
ところが、このようにブラック（Ｂｋ）のノズル列の位置が変わると、ノズルプレート１１を変更するだけでなく、上述のアクチュエータユニット３０の位置も変わり、さらにＴＣＰ２も変更する必要が生じる。このためＴＣＰ２をインクジェット式記録ヘッドのノズル列の配置に合わせて製造等する必要があり製造コストが増大するという問題があった。
また、ノズルプレート１１上に例えば、６列を超えるノズル列を形成した場合や、一列のノズル列のノズル開口１１１の数を増加させる場合は、その増加したノズル列やノズル開口１１１に応じて駆動信号を供給するＩＣ等の半導体集積回路２１を大型化する必要がある。しかし、大型化されたＩＣ等をＴＣＰ２に搭載すると信頼性が低下するという問題もあった。
また、このようにＩＣ等を大型化するのを避けるため、一つのＴＣＰ２がアクチュエータユニット３０へ駆動信号を供給するのではなく、複数のＴＣＰ２が、それぞれアクチュエータユニット３０へ駆動信号を供給する構成も考えられる。
しかし、複数のＴＣＰ２を隣接して配置する場合、それらの間に隙間が生じ、一つのＴＣＰ２と比べ大型化し、これによりインクジェット記録ヘッドも大型化するという問題もあった。
【０００５】
そこで、本発明は、吐出開口の位置の変更に対応でき、駆動信号供給手段の信頼性を低下することなく、装置全体も大型化しない液体噴射ヘッド及び液体噴射装置を提供することを目的とする。
【課題を解決するための手段】
【０００６】
前記課題は、第１の発明によれば、液体を吐出するノズル開口を複数有し、前記複数のノズル開口が少なくとも１つ以上にグループ分けされているノズル形成部と、前記ノズル開口に連接されている複数の圧力室を有する圧力室形成部と、前記複数の圧力室に対応して配置され、前記液体を前記ノズル開口から吐出させるために振動する複数のアクチュエータを有するアクチュエータ部と、を有するヘッドユニット部と、前記ヘッドユニット部に前記液体を供給するケース部と、前記ケース部及び前記ヘッドユニット部に接続され、前記アクチュエータが振動するための振動信号を供給するための振動信号供給手段を有するフレキシブルケーブル部と、を有する液体噴射ヘッドであって、前記フレキシブルケーブル部が前記グループ分けされたアクチュエータに対しそれぞれ配置されるように複数形成されていると共に、前記フレキシブルケーブル部は、前記振動信号供給手段を有するフレキシブルケーブル本体と、前記フレキシブルケーブル本体の一端側に連接して形成され、前記ヘッドユニット部に対して接続されるフレキシブルケーブル接続部と、を有し、前記フレキシブルケーブル本体と前記フレキシブルケーブル接続部との間には、屈曲可能な屈曲部が配置され、前記屈曲部の屈曲角度が、各前記フレキシブルケーブル部毎に異なった角度で構成されていることを特徴とする液体噴射ヘッドにより達成される。
【０００７】
第１の発明の構成によれば、前記フレキシブルケーブル本体と前記フレキシブルケーブル接続部との間には、屈曲可能な屈曲部が配置され、前記屈曲部の屈曲角度が、各前記フレキシブルケーブル部毎に異なった角度で構成されている。このため、前記屈曲部を介して配置される前記フレキシブルケーブル本体と前記フレキシブルケーブル接続部との間の角度が異なる。
一方、前記複数のフレキシブルケーブル部をそれぞれ液体噴射ヘッドに配置する場合は、各フレキシブルケーブル部のフレキシブルケーブル接続部は、それぞれ同一の前記ヘッドユニット部に接着等されるため、略同一面に配置される。このため、各前記フレキシブルケーブル本体は略同一面に配置されることがない。
したがって、前記複数のフレキシブルケーブル部の前記フレキシブルケーブル接続部の一部を相互に接触して重なり合うように配置しても、前記各フレキシブルケーブル部の各前記フレキシブル本体は、相互に離間して配置されるため、相互に接触することがない。
通常、複数のフレキシブルケーブル部の複数のフレキシブル本体が相互に接触していると、フレキシブルケーブル部同士で相互に干渉し合うことになり、前記アクチュエータ部からＴＣＰが剥がれる原因ともなり、前記ノズル開口から吐出する前記液体の吐出不良という弊害が生じる。
【０００８】
しかし、本発明では、複数の前記フレキシブルケーブル部の複数の前記フレキシブルケーブル本体が相互に接触しない構成となっているので、前記アクチュエータ部とＴＣＰの剥がれを招くことを回避でき、前記ノズル開口から吐出する前記液体の吐出不良という弊害を回避することができる。さらに、本請求項の発明では、かかる弊害が生じないので、複数の前記フレキシブルケーブル部の前記フレキシブルケーブル接続部の一部を接触させ重なり合うように配置することができるので、相互の間に隙間等が生ぜず、液体噴射ヘッドを大型化することを回避することができる。
また、前記ノズル形成部を前記ノズル開口の位置等を変更した前記ノズル形成部に変更する場合は、その変更後のノズル開口の位置等に合わせて前記フレキシブルケーブル部の位置を調整することで対応できる。このため、前記ノズル形成部の前記ノズル開口の位置の変更があっても、新たにフレキシブルケーブル部を製造等する必要がないので製造コストの上昇を抑制することができる。
また、本発明によれば、前記各フレキシブルケーブル本体は前記振動信号供給手段を有するので、複数の前記振動信号供給手段が前記アクチュエータ部に振動信号を供給する構成となっている。したがって、前記ノズル形成部の前記ノズル開口が増加等しても、前記振動信号供給手段を、それに応じて大型化する必要がないので、前記振動信号供給手段の信頼性の低下を防ぐことができる。
【０００９】
第２の発明によれば、第１の発明の構成において、前記複数のフレキシブルケーブル部の各前記フレキシブルケーブル接続部が前記アクチュエータ部と接着され、前記複数のフレキシブルケーブル部の各々前記屈曲部が、それぞれ異なった面に配置されていることを特徴とする液体噴射ヘッドである。
【００１０】
第２の発明の構成によれば、前記複数のフレキシブルケーブル部の各前記フレキシブルケーブル接続部が前記アクチュエータ部と接着され、前記複数のフレキシブルケーブル部の各々前記屈曲部が、それぞれ異なった面に配置されている。
前記屈曲部を前記アクチュエータ部に接着された前記フレキシブルケーブル接続部に近接して配置すると、特に、複数の前記フレキシブルケーブル部の複数の屈曲部が接触して重なり合い、その応力が大きくなり、前記フレキシブルケーブル接続部が剥がれやすくなる。
しかし、本請求項の発明では、前記各屈曲部がぞれぞれ異なった面に配置され、相互に接触することがないので、前記フレキシブルケーブル接続部が前記アクチュエータ部から振動によって剥がれることを未然に防ぐことができる。
【００１１】
前記課題は、第３の発明によれば、液体を吐出するノズル開口を複数有し、前記複数のノズル開口が少なくとも１つ以上にグループ分けされているノズル形成部と、前記ノズル開口に連接されている複数の圧力室を有する圧力室形成部と、前記複数の圧力室に対応して配置され、前記液体を前記ノズル開口から吐出させるために振動する複数のアクチュエータを有するアクチュエータ部と、を有するヘッドユニット部と、前記ヘッドユニット部に前記液体を供給するケース部と、前記ケース部及び前記ヘッドユニット部に接続され、前記アクチュエータが振動するための振動信号を供給するための振動信号供給手段を有するフレキシブルケーブル部と、を有する液体噴射ヘッドを備える液体噴射装置であって、前記液体噴射ヘッドの前記フレキシブルケーブル部が前記グループ分けされたアクチュエータに対しそれぞれ配置されるように複数形成されていると共に、前記フレキシブルケーブル部は、前記振動信号供給手段を有するフレキシブルケーブル本体と、前記フレキシブルケーブル本体の一端側に連接して形成され、前記ヘッドユニット部に対して接続されるフレキシブルケーブル接続部と、を有し、前記フレキシブルケーブル本体と前記フレキシブルケーブル接続部との間には、屈曲可能な屈曲部が配置され、前記屈曲部の屈曲角度が、各前記フレキシブルケーブル部毎に異なった角度で構成されていることを特徴とする液体噴射装置により達成される。
【００１２】
第３の発明の構成によれば、請求項１の構成と同様に、複数の前記フレキシブルケーブル部の複数の前記フレキシブルケーブル本体が相互に接触しない構成となっているので、前記アクチュエータ部とＴＣＰの剥がれを回避でき、前記ノズル開口から吐出する前記液体の吐出不良という弊害を回避することができる。
さらに、かかる弊害が生じないので、複数の前記フレキシブルケーブル部の前記フレキシブルケーブル接続部の一部を接触させ重なり合うように配置することができるので、相互の間に隙間等が生ぜず、液体噴射装置を大型化することが回避される。
また、前記ノズル形成部の前記ノズル開口の位置の変更があっても、新たにフレキシブルケーブル部を製造等する必要がないので製造コストの上昇を抑制することができる。
また、前記ノズル形成部の前記ノズル開口が増加等しても、前記振動信号供給手段を、それに応じて大型化する必要がないので、前記振動信号供給手段の信頼性の低下を防ぐことができる。
【発明を実施するための最良の形態】
【００１３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
図１は本発明の液体噴射装置の実施の形態にかかるインクジェット式記録装置（以下「記録装置」という）１００を示す概略斜視図である。
図１に示すように、記録装置１００は、キャリッジ１０１を有し、このキャリッジ１０１はキャリッジモータ１０２により駆動されるタイミングベルト１０３を介し、ガイド部材１０４に案内されてプラテン１０５の軸方向に往復移動されるように構成されている。
【００１５】
図１のキャリッジ１０１の記録用紙２００に対向する側には、後述する液体噴射ヘッドである例えば、インクジェット式記録ヘッド（以下「記録ヘッド」という）３００が搭載され、その上部には、記録ヘッド３００に液体である例えば、インクを収容するインクカートリッジ１０６が着脱可能に装填されている。インクカートリッジ１０６は、例えばブラック（Ｂｋ）、シアン（Ｃ）、マゼンタ（Ｍ）、イエロー（Ｙ）等の各色毎に異なるカートリッジとなっている。
そして、図１の記録用紙２００は、印字等領域Ｐに配置されて、記録ヘッド３００によってインクが吐出され、印字等される構成となっている。
【００１６】
図２は、記録ヘッド３００の概略分解斜視図である。図２に示すように、記録ヘッド３００は、ケース部である例えば、上ケース３１０及び下ケース３２０を有している。上ケース３１０には、図１に示すインクカートリッジ１０６内のインクを導く針３１１が形成され、導かれたインクは下ケース３２０を介して、後述するヘッドユニット部である例えば、ヘッドユニット３３０へ供給される構成となっている。
また、上ケース３１０と下ケース３２０内には、ＰＣＢ（プリンテッド  サーキット  ボード）基板３４０が配置されている。ＰＣＢ基板３４０は、フレキシブルケーブル部である例えば、ＴＣＰ（テープキャリアパッケージ）３５０、３６０と電気的に接続されている。  
ＴＣＰ３５０、３６０は、図示するように複数、例えば２個配置されており、後述するように下ケース３２０と、ヘッドユニット３３０に接続される。また、ＴＣＰ３５０、３６０は屈曲可能な可撓性部材等で形成されている。
また、ＴＣＰ３５０、３６０の図２の裏面側には、ＩＣ３５１、３６１が形成されている。ＩＣ３５１、３６１は、アクチュエータ部である例えば、アクチュエータ３３１がたわみ振動をするための振動信号を供給するための振動信号供給手段の一例である。
【００１７】
図２のＴＣＰ３５０、３６０の下側には、ヘッドユニット３３０が配置される。ヘッドユニット３３０は、図において下方に、インクを吐出するためのノズル開口である例えば、ノズルが形成されているノズルプレート３３４を有している。ノズルプレート３３４は、ノズル形成部の一例である。ノズルはノズルプレート３３４に複数配置され、複数のノズルが少なくとも１つ以上にグループ分けされている。
ノズルプレート３３４の上には、ノズルプレート３３４にインク等を供給するための供給プレート３３２及びリザーバプレート３３３が配置されている。これらにより前記ノズルに連接されている複数の圧力室を有する圧力室形成部が設けられている。
供給プレート３３２の上には、電圧が印加されるとたわみ振動をする圧電体を有する複数のアクチュエータ３３１が配置されている。すなわち、電圧がアクチュエータ３３１に印加されると圧電体がたわみ振動し、その振動によってノズルプレート３３４のノズルからインクが吐出される構成となっている。このアクチュエータ３３１は、前記複数の圧力室に対応して配置されている。
そして、これらアクチュエータ３３１、供給プレート３３２、リザーバプレート３３３及びノズルプレート３３４は、接着され一体化され、ヘッドユニット３３０を構成している。
また、前記ＴＣＰ３５０、３６０は、前記グループ分けされたアクチュエータ３３１に対しそれぞれ配置されるように形成されている。
【００１８】
ヘッドユニット３３０のアクチュエータ３３１は、ＴＣＰ３５０、３６０と接着等されることで接続されている。また、ヘッドユニット３３０は、ＴＣＰ３５０、３６０を介して下ケース３２０の下部に配置されることにより、下ケース３２０からインク等の供給を受ける構成となっている。
ところで、ヘッドユニット３３０は図２に示すようにカバー３７０で保持される構成となっている。また、上ケース３１０及び下ケース３２０等は、ネジ３８０により固定等される構成となっている。
【００１９】
図３は図２の記録ヘッド３００から上ケース３１０を外した状態を示す概略斜視図であり、図４は図３の記録ヘッド３００を矢印方向から見た概略側面図である。
図３に示すように、２個のＴＣＰ３５０、３６０は、クランク状に２カ所、折り曲げた状態で配置されている。具体的には、ＴＣＰ３５０、３６０は、図３に示すように、下ケース３２０にＰＣＢ基板３４０を介して固定されるケース固定部３５２、３６２を有している。また、このケース固定部３５２、３６２から屈曲させて構成されるＴＣＰ本体３５３、３６３を有している。このＴＣＰ本体３５３、３６３は、上述のようにその裏面にＩＣ３５１、３６１を有している。
また、図３に示すように、このＴＣＰ本体３５３、３６３の一端側である下方側に連接して形成され、図２のアクチュエータ３３１に対して接着等により接続されるフレキシブルケーブル接続部である例えば、アクチュエータ接続部３５４、３６４が、ＴＣＰ３５０、３６０に形成されている。
そして、図４に示すように、アクチュエータ接続部３５４、３６４とＴＣＰ本体３５３、３６３との間には屈曲可能な屈曲部３５５、３６５が形成され、これら屈曲部３５５、３６５は、ＴＣＰ３５０、３６０を折り曲げて形成されている。
【００２０】
また、図３及び図４に示すＴＣＰ３５０、３６０の屈曲部３５５、３６５の屈曲角度は、ＴＣＰ３５０とＴＣＰ３６０とでは異なった角度となっている。例えば、図４に示すように、ＴＣＰ３５０の屈曲部３５５は角度が５°（度）に形成されているが、ＴＣＰ３６０の屈曲部３６５は角度が１０°（度）に形成されている。
また、ＴＣＰ３５０の屈曲部３５５とＴＣＰ３６０の屈曲部３６５とでは、それぞれ異なった仮想面に配置されている。例えば、図４に示すように屈曲部３５５と屈曲部３６５とでは、それぞれの屈曲点３５５ａ、３６５ａと、アクチュエータ接続部３５４、３６４の右端部３５４ａ、３６４ａとの間の距離が異なるように配置されている。このため、屈曲部３５５、３６５は相互に接触しないように配置されている。
また、同様に、上述のＴＣＰ本体３５３、３６３も相互に接触しないように配置されている。
このように屈曲部３５５、３６５に屈曲角度を形成し、相互に接触しない構成とし、ＴＣＰ本体３５３、３６３も接触しない構成としているため、図３に示すように、ＴＣＰ３５０、３６０のケース固定部３５２、３６２も位置を違えて配置されている。
【００２１】
本実施の形態に係る記録装置１００は以上のように構成されているが、以下その動作例等を説明する。
図５は、６色（ブラック（Ｂｋ）、シアン（Ｃ）、ライトシアン（Ｌｃ）、マゼンタ（Ｍ）、ライトマゼンタ（Ｌｍ）及びイエロー（Ｙ））用にノズル列３３４ａ乃至３３４ｆが形成されていたノズルプレート３３４を、４色（ブラック（Ｂｋ）、シアン（Ｃ）、マゼンタ（Ｍ）、及びイエロー（Ｙ））用のノズル列４３４ａ乃至４３４ｆに変更する例を示す概略説明図である。図５（ａ）は、６色の配置例を示し、図５（ｂ）は４色の配置例を示す。
図５（ａ）に示すように、６色を吐出するノズルプレート３３４の場合は、各ノズル列３３４ａ乃至３３４ｆは、それらの上端部が同一位置（Ｌ）に配置され、各ノズル列３３４ａ等から異なった色のインクが吐出される構成となっている。
【００２２】
このようなノズルプレート３３４を解像度を上げるため４色のノズルプレート４３４としたものが図５（ｂ）である。
このとき、ノズル列４３４ｂ及び４３４ｃは、シアン（Ｃ）及びライトシアン（Ｌｃ）からブラック（Ｂｋ）に変更されると共に、ノズル列４３４ａ、４３４ｂは、上端部の位置（Ｌ）から異なる長さ分だけ下がるように変更される。
このとき、インク色の変更だけであれば、図１のインクカートリッジ１０６の変更だけで対応可能であるが、ノズル列４３４ａ、４３４ｂの位置が変わるため、ノズルからインクを吐出させるためのアクチュエータ３３１に対応するＴＣＰ３５０、３６０の位置を調整する必要がある。
従来は、このとき、新しいノズル列４３４ａ等の位置に合わせたＴＣＰを新たに用意する必要があり、コストが上昇した。しかし、本実施の形態では、２つのＴＣＰ３５０、３６０の位置をノズル列４３４ａ等に合わせて調整することで対応できるのでコスト上昇を回避することができる。
【００２３】
また、このとき本実施の形態では、２つのＴＣＰ３５０、３６０のアクチュエータ接続部３５４、３６４端部を図３に示すように接触して重なり合うように配置することができる。
従来は、２つのＴＣＰを配置すると、それらの間に隙間等が生じるため、その幅方向が長くなり、記録ヘッド３００を大型化するおそれがあった。
しかし、本実施の形態では、ＴＣＰ３５０、３６０のアクチュエータ接続部３５４、３６４等の端部を重なり合うように配置できるため、記録ヘッド３００の大型化を回避する構成となっている。
【００２４】
一方、ＴＣＰ３５０、３６０が相互に接触して重なり合うと弊害が生じる。すなわち、図４のＴＣＰ本体３５３、３６３が相互に接触して重なり合うと、ＴＣＰ３５０、３６０の剥がれを招き、ノズルからのインク吐出の不良が生じる。
また、ＴＣＰ３５０、３６０の図４に示す屈曲部３５５、３６５が相互に接触して重なり合っていると、これら屈曲部３５５、３６５の位置が、振動するアクチュエータ３３１に接着されているアクチュエータ接続部３５４、３６４に近接していると、アクチュエータ接続部３５４、３６４がアクチュエータ３３１から離間する方向に応力等が生じ易い。
特に、屈曲部３５５、３６５が相互に接触すると、その応力が大きくなりアクチュエータ接続部３５４、３６４がアクチュエータ３３１から剥がれやすくなる。
【００２５】
しかし、本実施の形態では、図４に示すように屈曲部３５５、３６５の角度が５°（度）又は１０°（度）と異なっているので、ＴＣＰ本体３５３、３６３は相互に重なり合うように配置されても、相互に接触することがないので、ＴＣＰ３５０、３６０間の相互の干渉等を未然に防ぐことができ、ノズルからのインク吐出不良を防ぐことができる。
また、本実施の形態では、屈曲部３５５と屈曲部３６５は、それぞれ、その位置が図４に示すように、アクチュエータ接続部３５４等の右端部３５４ａ等から異なった位置に配置されているので、相互に接触することがない。このため、ＴＣＰ３５０、３６０のアクチュエータ接続部３５４、３６４は、屈曲部３５５、３６５間の相互の接触による応力等によってアクチュエータ３３１から剥離等され難い構成となっている。
【００２６】
また、図５の例とは異なり、ノズル列を増加させる等の場合、例えば、ノズル列を６列から８列等に変更する場合は、ノズルの数が増加するため、ノズルからインクを吐出させるための駆動信号がその分必要となる。このため、図４等のＩＣ３５１等を大型化する必要が生じる。このようにＩＣ３５１等を大型化すると信頼性の低下が生じるおそれがある。
しかし、本実施の形態では、ＴＣＰ３５０等を２個配置するため、１個の場合に比べＩＣ３５１等を大型化する必要がないので、ノズル列の増加によりノズル数が増加等した場合でも、ＩＣ３５１等が大型化せず、ＩＣ３５１等の信頼性の低下が生じることがない。
【００２７】
図６は、図５と異なる動作例を示す概略説明図である。図６（ａ）は、ブラック（Ｂｋ）、シアン（Ｃ）、マゼンタ（Ｍ）及びイエロー（Ｙ）の４色のインク列５３４ａ乃至５３４ｄが、それらに上端部が同一列（Ｌ１）で配置されたノズルプレートを５３４を示している。
このノズルプレート５３４をブラック（Ｂｋ）とシアン（Ｃ）、マゼンタ（Ｍ）、イエロー（Ｙ）のコンポジットでブラック（Ｂｋ）が太い線を構成するように変更したのが図６（ｂ）に示すノズルプレート６３４である。
図６（ｂ）に示すようにノズル列６３４ａ、６３４ｂを同一列（Ｌ２）ではなく、図において下方向に下がるように位置を変える構成となっている。
このときも、図５の場合と同様に、ＴＣＰ３５０、３６０の位置を調整することで変更が可能なる。
【００２８】
本発明は、上述の実施の形態に限定されない。さらに、上述の各実施の形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【図面の簡単な説明】
【００２９】
【図１】本発明の液体噴射装置の実施の形態にかかるインクジェット式記録装置を示す概略斜視図である。
【図２】記録ヘッドの概略分解斜視図である。
【図３】図２の記録ヘッドから上ケースを外した状態を示す概略斜視図である。
【図４】図３の記録ヘッドを矢印方向から見た概略側面図である。
【図５】６色が形成されていたノズルプレートを、４色用のノズル列に変更する例を示す概略説明図である。
【図６】図５と異なる動作例を示す概略説明図である。
【図７】ノズルプレート１１に形成されているノズル列の配置例を示す概略図である。
【符号の説明】
【００３０】
１００・・・インクジェット式記録装置、１０１・・・キャリッジ、１０２・・・キャリッジモータ、１０３・・・タイミングベルト、１０４・・・ガイド部材、１０５・・・プラテン、１０６・・・インクカートリッジ、２００・・・記録用紙、３００・・・インクジェット式記録ヘッド、３１０・・・上ケース、３１１・・・針、３２０・・・ヘッドユニット、３３１・・・アクチュエータ、３３２・・・供給プレート、３３３・・・リザーバプレート、３３４、４３４、５３４、６３４・・・ノズルプレート、３３４ａ乃至３３４ｆ、４３４ａ乃至４３４ｆ、５３４ａ乃至５３４ｄ、６３４ａ乃至６３４ｄ・・・ノズル列、３４０・・・ＰＣＢ基板、３５０、３６０・・・ＴＣＰ、３５１、３６１・・・ＩＣ、３５２、３６２・・・ケース固定部、３５３、３６３・・・ＴＣＰ本体、３５４、３６４・・・アクチュエータ接続部、３５４ａ、３６４ａ・・・右端部、３５５、３６５・・・屈曲部、３５５ａ、３６５ａ・・・屈曲点、３７０・・・カバー、３８０・・・ネジ。
【図１】
2005178127.tif 000003
【図２】
2005178127.tif 000004
【図３】
2005178127.tif 000005
【図４】
2005178127.tif 000006
【図５】
2005178127.tif 000007
【図６】
2005178127.tif 000008
【図７】
2005178127.tif 000009